(57)【要約】      （修正有）【課題】  使用者の生活スタイルに合わせて、最適な利用状況を確立する。【解決手段】  １台の携帯電話に２つの電話回線ユニット２４、２６を具備し、それぞれの電話回線ユニット２４、２６に対して、使用者の生活スタイル（例えば、公用／私用）にあわせて使い分けがし易いように、予め優先度を設定したり、共通メモリ５０に記憶されているアドレスに電話回線ユニット２４又は２６を指定したり、手動による電話回線の切り替えに加え、時刻タイマにより自動的に優先される電話回線ユニット２４、２６を切り替えるといった、使い勝手のよい運用システムを確立した。また、それぞれの電話回線ユニット２４、２６の使用料金を別々の請求先とすることで、特に、公私混同を回避することができる。【選択図】      図２
2006340316.tif 000002
【特許請求の範囲】
【請求項１】
異なる識別番号で割り当てられる複数の通信回線ユニットを具備し、同一周波数帯域での無線通信によって他の通信端末との間で少なくとも音声通話、パケット通信が可能であり、前記複数の通信回線ユニット機能に対して共通とされる操作制御ユニットと、通話制御ユニットと、表示制御ユニットと、を備えた携帯電話機であって、
無線通信基地局から周期的に発信しているビーコンを受信することで、それぞれの通信回線ユニットの現在位置の特定並びに受信強度を独立して判定する電波状態判定手段と、
複数の通信回線ユニットにおける、発信及び着信の少なくとも一方の優先度を決定する優先度決定手段と、
前記電波状態判定手段による各通信回線ユニットの電波状態と、前記優先度決定手段で決定された前記優先度とを、前記表示制御ユニットの表示部に表示する表示制御手段と、
音声通話の呼び出し識別番号、並びにパケット通信の送信に必要な通信用アドレスを、複数の通信回線ユニットの全てからアクセス可能、或いは特定の通信回線ユニットからアクセス可能に記憶するデータ記憶手段と、
を有する携帯電話機。
【請求項２】
前記複数の通信回線ユニット毎に、通電又は非通電の選択を含み、通電中の対応モードを設定する対応モード設定手段をさらに有することを特徴とする請求項１記載の携帯電話機。
【請求項３】
前記複数の通信回線ユニットが、ビジネスとして利用するオンタイム用通信回線ユニットと、余暇として利用するオフタイム用通信回線ユニットと、に分類され、オンタイム用通信回線ユニットを利用したときの課金請求先と、オフタイム用通信回線ユニットを利用したときの課金請求先と、を区別することを特徴とする請求項１記載の携帯電話機。
【請求項４】
前記優先度決定手段による通信回線ユニットの優先度の選択が、前記操作制御ユニットの操作部の操作による手動切り替え、或いは、タイマ設定による自動切り替えの少なくとも一方により実行されることを特徴とする請求項１乃至請求項３の何れか１項記載の携帯電話機。
【請求項５】
前記表示制御手段が、それぞれの通信回線ユニットの状況を表示する表示領域に区画され、同時に表示され、かつ優先度の高い通信回線ユニットに対応する表示領域を強調することを特徴とする請求項１乃至請求４の何れか１項記載の携帯電話機。
【請求項６】
前記表示制御手段が、優先度の最も高い通信回線ユニットの状況を表示するように、自動的に切り替えることを特徴とする請求項１乃至請求項４の何れか１項記載の携帯電話機。
【請求項７】
異なる識別番号で割り当てられる複数の通信回線ユニットを具備し、同一周波数帯域での無線通信によって他の通信端末との間で少なくとも音声通話、パケット通信が可能であり、前記複数の通信回線ユニット機能に対して共通とされる操作制御ユニットと、通話制御ユニットと、表示制御ユニットと、を備えた携帯電話機を用いた運用方法であって、
それぞれの通信回線ユニットに対して、独立して通電中の対応モードの設定を行うと共に、発信及び着信の少なくとも一方の優先度を、手動で固定的に設定、或いはタイマによる時間割で何れかの通信回線ユニットを選択的に設定しておき、
基地局から受信するビーコンにそれぞれの通信回線ユニットが独立して対応することで、待ち受け状態を確保し、
それぞれの通信回線ユニットが占有する識別符号の受信によって、着信している通信回線ユニットを特定し、
当該特定された通信回線ユニットの対応モードに基づいて応答することを特徴とした携帯電話を用いた運用方法。
【請求項８】
異なる識別番号で割り当てられる複数の通信回線ユニットを具備し、同一周波数帯域での無線通信によって他の通信端末との間で少なくとも音声通話、パケット通信が可能であり、前記複数の通信回線ユニット機能に対して共通とされる操作制御ユニットと、通話制御ユニットと、表示制御ユニットと、を備えた携帯電話機を用いた運用システムであって、
それぞれの通信回線ユニットに対して、独立して通電中の対応モードの設定を行う対応モード設定手段と、
発信及び着信の少なくとも一方の優先度を、手動で固定的に設定、或いはタイマによる時間割で何れかの通信回線ユニットを選択的に設定する優先度設定手段と、
基地局から受信するビーコンにそれぞれの通信回線ユニットが独立して対応することで、待ち受け状態を確保する待ち受け確保手段と、
それぞれの通信回線ユニットが占有する識別符号の受信によって、着信している通信回線ユニットを特定する特定手段と、
前記特定された通信回線ユニットの対応モードに基づいて応答する応答手段と、
を有することを特徴とした携帯電話を用いた運用システム。
【発明の詳細な説明】
【技術分野】
【０００１】
本発明は、異なる識別番号で割り当てられる複数の通信回線ユニットを具備し、同一周波数帯域での無線通信によって他の通信端末との間で少なくとも音声通話、パケット通信が可能であり、前記複数の通信回線ユニット機能に対して共通とされる操作制御ユニットと、通話制御ユニットと、表示制御ユニットを備えた携帯電話機、携帯電話機の運用方法及びその運用システムに関するものである。
【背景技術】
【０００２】
近年、携帯電話機は公私を問わず必需品となっており、その機能は、通話やメール送受信に留まらず、様々な付加機能を備えている。例えば、デジタルカメラやＭＰ３等がその代表的なものであり、最近ではＴＶチューナを備えたものも存在する。
【０００３】
上記のような携帯電話機では、特殊な仕様を除き、割り当てられる識別番号（すなわち、電話番号）は、１回線である。このため、当該１回線の通信回線ユニットが通話中、あるいはパケット通信中の場合には、所謂話中となり他の通話やパケット通信を行うことができない。
【０００４】
なお、上記特殊な仕様とは、通信のための周波数帯域が異なる２種類の通信回線ユニットを備えた携帯電話機を指し、それぞれの利点を生かして使い分けることができる。
【０００５】
例えば、基地局のエリアの違いやパケット通信速度の違いによって使い分けるものである。
【０００６】
また、簡易型携帯電話機（ＰＨＳ）では、その通信モードとして、公衆モード、事業所モード、家庭モードの設定を可能としており、所謂外線と内線との切り替えを可能としたものがある（特許文献１参照）。
【０００７】
上記特許文献１では、通信モードとして例えば公衆モード、事業所モード、家庭モードの複数の通信モードが設定可能に構成された制御手段を備え、使い勝手の向上を図るべく、優先順位格納手段に格納された優先順位にしたがって、所定条件を満たしていることを判定し、自動的に有効のモードを設定することが提案されている。
【特許文献１】特開平１１−２６２０６０号公報
【発明の開示】
【発明が解決しようとする課題】
【０００８】
しかしながら、従来の所謂マルチ機能（通信回線ユニットを２機以上もつもの、或いは複数のモードをもつもの）の携帯電話機では、特に使用者の生活スタイルに必ずしもマッチするものではなく、一方的に機能を提供しているに過ぎない。このため、ある点では優れているが、別の点では使い難いといった不具合が生じる場合がある。
【０００９】
特に、ＰＨＳと通常の携帯電話機との組合せの場合、基地局が全く異なるため、同一の状況での使い分けができない場合が多く、ある程度、通話は通常の携帯電話機、パケット通信はＰＨＳといったような使い分けに限られることになり、前述のように一方的な機能の提供であることが明確である。
【００１０】
また、前記特許文献１のような優先度においても、当然、ＰＨＳを利用する場所が確定しているため、使用者がいちいち場所を移動するときに手動でモードを切り替えることの煩わしさを解消することができるのみであり、使用者の様々な生活スタイルに対応できるものではない。
【００１１】
本発明は上記事実を考慮し、使用者の生活スタイルに合わせて、最適な利用状況を確立することができる携帯電話機、携帯電話機を用いた運用方法及びその運用システムを得ることが目的である。
【課題を解決するための手段】
【００１２】
第１の発明は、異なる識別番号で割り当てられる複数の通信回線ユニットを具備し、同一周波数帯域での無線通信によって他の通信端末との間で少なくとも音声通話、パケット通信が可能であり、前記複数の通信回線ユニット機能に対して共通とされる操作制御ユニットと、通話制御ユニットと、表示制御ユニットと、を備えた携帯電話機であって、無線通信基地局から周期的に発信しているビーコンを受信することで、それぞれの通信回線ユニットの現在位置の特定並びに受信強度を独立して判定する電波状態判定手段と、複数の通信回線ユニットにおける、発信及び着信の少なくとも一方の優先度を決定する優先度決定手段と、前記電波状態判定手段による各通信回線ユニットの電波状態と、前記優先度決定手段で決定された前記優先度とを、前記表示制御ユニットの表示部に表示する表示制御手段と、音声通話の呼び出し識別番号、並びにパケット通信の送信に必要な通信用アドレスを、複数の通信回線ユニットの全てからアクセス可能、或いは特定の通信回線ユニットからアクセス可能に記憶するデータ記憶手段と、を有している。
【００１３】
第１の発明によれば、電波状態判定手段では、無線通信基地局から周期的に発信しているビーコンを受信することで、それぞれの通信回線ユニットの現在位置の特定並びに受信強度を独立して判定する。
【００１４】
この複数の通信回線ユニットにおいて、発信及び着信の少なくとも一方の優先度を決定する。決定された優先度は、表示部に表示され、現在の動作状態を使用者は認識することができる。
【００１５】
ここで、使用者が、当該使用者の状況に応じて、優先度を決定することで、当該状況の下で、必要な通信回線ユニットと不要な通信回線ユニットとを分類したり、一方を通常の待ち受け状態、他方を所謂留守電状態としておくといった処理が、単一の携帯電話で可能となる。
【００１６】
この場合、データ記憶手段に、それぞれの通信回線ユニットに共通となる音声通話の呼び出し識別番号（所謂電話番号）や、パケット通信（例えば、メール送受信）に必要な通信用アドレスが記憶されているため、１台の同一周波数帯域で無線通信可能な携帯電話で、複数台の携帯電話を利用しているのと同等のサービスを受けることができる。
【００１７】
この場合、通信用アドレスは、複数の通信回線ユニットの全てからアクセス可能なもの、或いは特定の通信回線ユニットからアクセス可能なものに分類することができる。
【００１８】
なお、本発明で言う「優先度」とは、発信又は着信の双方、或いは何れか一方に適用されるものであり、具体的には、時刻管理による電源のオン・オフ状態や、表示部上に表示される待ち受けの状態等を指す。例えば、発信ボタンを操作したときには優先度の高い通信回線ユニットが起動したり（発信優先度）、待ち受けの状態で、優先度の高い方に着信があった場合は鈴動等によって呼出しを実行し、優先度の低い方に着信があった場合は所謂留守録とする（着信優先度）ことが可能である。
【００１９】
上記第１の発明において、前記請求項１に記載の発明において、前記複数の通信回線ユニット毎に、通電又は非通電の選択を含み、通電中の対応モードを設定する対応モード設定手段をさらに有することを特徴としている。
【００２０】
また、第１の発明において、前記複数の通信回線ユニットが、ビジネスとして利用するオンタイム用通信回線ユニットと、余暇として利用するオフタイム用通信回線ユニットと、に分類され、オンタイム用通信回線ユニットを利用したときの課金請求先と、オフタイム用通信回線ユニットを利用したときの課金請求先と、を区別することを特徴としている。
【００２１】
課金請求先が、オフタイム用の通信回線ユニットと、オンタイム用の通信回線ユニットとで分類されることで、１台の携帯電話を、使用者の使用目的によって分類することが容易となる。
【００２２】
さらに、第１の発明において、前記優先度決定手段による通信回線ユニットの優先度が、前記操作制御ユニットの操作部の操作による手動切り替え、或いは、タイマ設定による自動切り替えの少なくとも一方により実行されることを特徴としている。
【００２３】
優先度は、手動切り替えによって決定してもよいし、例えば、前記オンタイム／オフタイムの分類であれば、終業時間中（通常、午前９時から午後５時）とそれ以外でタイマ設定によって自動切り替えさせて決定するようにしてもよい。
【００２４】
これにより、使用者の生活スタイルが携帯電話によって荒らされるようなことがなく、使い勝手のよい携帯電話を実現することができる。
【００２５】
また、第１の発明において、前記表示制御手段が、それぞれの通信回線ユニットの状況を表示する表示領域に区画され、同時に表示され、かつ優先度の高い通信回線ユニットに対応する表示領域を強調することを特徴としている。
【００２６】
表示制御手段による通信回線ユニットの状況の表示としては、全ての通信回線ユニットの状況がわかり、かつ優先度を認識できるようにすることが好ましい。このため、それぞれの通信回線ユニットの状況を表示する表示領域に区画され、同時に表示され、かつ優先度の高い通信回線ユニットに対応する表示領域を強調する。
【００２７】
さらに、第１の発明において、前記表示制御手段が、優先度の最も高い通信回線ユニットの状況を表示するように、自動的に切り替えることを特徴としている。
【００２８】
優先度の優先の定義を、例えば、一方の通信回線ユニットを稼働、他方の通信回線ユニットを非稼働とするのであれば、稼働している通信回線ユニットのみの状況を知り得れば足りるため、優先度の最も高い通信回線ユニットの状況を表示する。
【００２９】
第２の発明は、異なる識別番号で割り当てられる複数の通信回線ユニットを具備し、同一周波数帯域での無線通信によって他の通信端末との間で少なくとも音声通話、パケット通信が可能であり、前記複数の通信回線ユニット機能に対して共通とされる操作制御ユニットと、通話制御ユニットと、表示制御ユニットと、を備えた携帯電話機を用いた運用方法であって、それぞれの通信回線ユニットに対して、独立して通電中の対応モードの設定を行うと共に、発信及び着信の少なくとも一方の優先度を、手動で固定的に設定、或いはタイマによる時間割で何れかの通信回線ユニットを選択的に設定しておき、基地局から受信するビーコンにそれぞれの通信回線ユニットが独立して対応することで、待ち受け状態を確保し、それぞれの通信回線ユニットが占有する識別符号の受信によって、着信している通信回線ユニットを特定し、当該特定された通信回線ユニットの対応モードに基づいて応答することを特徴としている。
【００３０】
第２の発明によれば、無線通信基地局から周期的に発信しているビーコンを受信することで、それぞれの通信回線ユニットの現在位置の特定並びに受信強度を独立して判定する。
【００３１】
この複数の通信回線ユニットでは、発信及び着信の少なくとも一方の優先度が決定され、この決定された優先度は、例えば、表示制御ユニットに表示することで、現在の動作状態を使用者は認識することができる。
【００３２】
ここで、使用者が、当該使用者の状況に応じて、優先度を決定することで、当該状況の下で、必要な通信回線ユニットと不要な通信回線ユニットとを分類したり、一方を通常の待ち受け状態、他方を所謂留守電状態としておくといった処理が、単一の携帯電話で可能となる。
【００３３】
すなわち、発信及び着信の少なくとも一方の優先度を、手動で固定的に設定、或いはタイマによる時間割で何れかの通信回線ユニットを選択的に設定しておくことで、通信回線ユニット毎に異なるモードの待ち受け状態（例えば、通常鳴動モード着信、マナーモード着信、留守番モード着信等）を確保し、それぞれの通信回線ユニットが占有する識別符号の受信によって、着信している通信回線ユニットを特定し、当該特定された通信回線ユニットの対応モードに基づいて応答する。
【００３４】
これにより、使用者のおかれた状況によって、複数の通信回線ユニットを１台の端末で使い分けることが可能となる。
【００３５】
第３の発明は、異なる識別番号で割り当てられる複数の通信回線ユニットを具備し、同一周波数帯域での無線通信によって他の通信端末との間で少なくとも音声通話、パケット通信が可能であり、前記複数の通信回線ユニット機能に対して共通とされる操作制御ユニットと、通話制御ユニットと、表示制御ユニットと、を備えた携帯電話機を用いた運用システムであって、それぞれの通信回線ユニットに対して、独立して通電中の対応モードの設定を行う対応モード設定手段と、発信及び着信の少なくとも一方の優先度を、手動で固定的に設定、或いはタイマによる時間割で何れかの通信回線ユニットを選択的に設定する優先度設定手段と、基地局から受信するビーコンにそれぞれの通信回線ユニットが独立して対応することで、待ち受け状態を確保する待ち受け確保手段と、それぞれの通信回線ユニットが占有する識別符号の受信によって、着信している通信回線ユニットを特定する特定手段と、前記特定された通信回線ユニットの対応モードに基づいて応答する応答手段と、
を有することを特徴としている。
【００３６】
第３の発明によれば、携帯電話には複数の通信回線ユニットが備えられており、それぞれ独立した識別符号（例えば、電話番号）が割り当てられることで、独立して他の通信端末との間で、音声通話やパケット通信等が可能である、反面、操作制御ユニット、表示制御ユニットが共通であり、当該携帯電話を運用するためのシステム構成を確立する必要がある。
【００３７】
そこで、対応モード設定手段では、それぞれの通信回線ユニットに対して、独立して通電中の対応モードの設定を行う。
【００３８】
さらに、優先度設定手段では、発信及び着信の少なくとも一方の優先度を、手動で固定的に設定、或いはタイマによる時間割で何れかの通信回線ユニットを選択的に設定する。
【００３９】
上記設定後、待ち受け確保手段において、基地局から受信するビーコンにそれぞれの通信回線ユニットが独立して対応することで、待ち受け状態を確保し、それぞれの通信回線ユニットが占有する識別符号が受信されると、特定手段では、着信している通信回線ユニットを特定し、応答手段により、前記特定された通信回線ユニットの対応モードに基づいて応答する。
【００４０】
このように、複数の通信回線ユニットに対して、それぞれ優先度を設定しておき、識別符号の受信によって特定された通信回線ユニットの優先度に基づいて、応答時の対応モードを設定することで、１台の携帯電話に複数の通信回線ユニットを搭載することによる運用形態（例えば、複数同時の着信時の対応、不要な時期（時刻）での着信の対応、課金の振り分け対応等）を確立することができる。
【発明の効果】
【００４１】
以上説明した如く本発明は、使用者の生活スタイルに合わせて、最適な利用状況を確立することができるという優れた効果を有する。
【発明を実施するための最良の形態】
【００４２】
図１には、本実施の形態に係る携帯電話１０が示されている。外観的には、市場に出回っている携帯電話と基本構成が同一である。すなわち、携帯電話１０は、上下に分割された一対のケーシン１２、１４（以下、上ケーシング１２、下ケーシング１４という）を備えている。例えば、上ケーシング１２、下ケーシング１４が軸部（１軸や２軸）１６を介して連結されており、当該軸部１６を中心に上ケーシング１２と下ケーシング１４とを重ねることで、コンパクト化される構造となっている。
【００４３】
上ケーシング１２には、主として表示制御ユニット１８が搭載されている。上ケーシング１２には、その表面に矩形孔２０が設けられ、表示制御ユニット１８の一部を構成する表示部（ＬＣＤ）２２がはめ込まれている。
【００４４】
一方、下ケーシング１４には、主として複数の通信回線ユニットとしての電話回線ユニット（本実施の形態では、２つの電話回線ユニット２４、２６）と、通話制御ユニット２８と、操作制御ユニット３０が搭載されている。下ケーシング１４の表面には、操作制御ユニット３０の一部を構成する操作部３２が配設されている。
【００４５】
図２は、上記携帯電話１０の各ユニットの制御システム系を機能的に示した制御ブロック図である。
【００４６】
電話回線ユニット２４（図２では、電話回線Ａユニット）、２６（図２では、電話回線Ｂユニット）、操作制御ユニット３０、通話制御ユニット２８並びに表示制御ユニット２２は、それぞれ、Ｉ／Ｆ３４、３６、３８、４０、４２を介して、バス４４に接続されている。このバス４４を介して、それぞれのユニットは互いに信号の送受信が可能となっている。
【００４７】
また、バス４４には、起動制御部（例えば、ブートＲＯＭ等）４６、動作状態管理部４８、共通メモリ５０が接続されている。
【００４８】
起動制御部４６は、電源のオン時に起動し、システムのそれぞれを起動させるプログラムが記憶されている。
【００４９】
動作状態管理部４８は、主として電話回線ユニット２４、２６の動作状態を管理しており、現在の状態（待ち受け、着信、発信、通話、パケット通信、回線毎の通信利用料金等）を監視し、認識するようになっている。
【００５０】
共通メモリ５０は、一般の携帯電話における電話帳の役目を有しており、電話回線ユニット２４、２６に対して、共通に利用することができる構成となっている。なお、設定により、一方の電話回線ユニットでのみ使用できるように制限することも可能である。
【００５１】
（電話回線ユニット２４、２６の構成）
電話回線ユニット２４、２６は、同一の構成であるため、一方（ここでは、電話回線ユニット２４）の構成を説明し、他方（ここでは、電話回線ユニット２６）については、同一の符号を付して、その構成の説明を省略する。
【００５２】
電話回線ユニット２４のＩ／Ｆ３４には、ＣＰＵ５２が接続されている。このＣＰＵ５２には、バス５４を介してＲＯＭ５６及びＲＡＭ５８が接続され、マイクロコンピュータを構成している。
【００５３】
また、ＣＰＵ５２には、バス６０を介してＩ／Ｏ６２が接続されている。このＩ／Ｏ６２には、電波管理部６４、受信部６６、送信部６８、が接続されている。
【００５４】
電波管理部６４では、それぞれ所定範囲の通信可能エリアＲＡを有する基地局ＢＳ（図１参照）からのビーコンを受信して、現在地の登録を要求し、当該電話回線ユニット２４を呼び出すための識別番号を受信することで、電波強度を認識する。
【００５５】
受信部６６では、通話制御ユニット２８のスピーカ７０により音声を出力するための音声信号を無線により受信し、或いは表示制御ユニット１８の表示部２２に文字や画像を表示するためのパケット通信信号を無線により受信する役目を有している。
【００５６】
一方、送信部６８では、通話制御ユニット２８のマイク７２により入力された音声信号を無線により送信し、或いは操作部制御ユニット３０の操作部３２により入力されたパケット通信情報を無線により送信する役目を有している。
【００５７】
（操作制御ユニット３０の構成）
操作制御ユニット３０の一部を構成する操作部３２（図１に示される１０キーや機能キーで構成される操作ボタン群）は、当該操作部３２の操作状態を解析する操作状態解析部７４に接続されている。操作状態解析部７４では、各操作ボタンにおける操作状態（例えば、短押し（１秒未満）、長押し（１秒以上）等）を解析し、その解析結果をコマンド生成部７６へ送出する。コマンド生成部７６では、現状のモードにおける操作ボタンの操作に相当するコマンドを生成し、コマンド先選択部７８へ送出することで、コマンド先選択部７８では、Ｉ／Ｆ３８を介して何れかのユニットへコマンドを送出する。
【００５８】
例えば、電源オフ状態で電源キーを長押しすることで起動制御部４６を起動するためのコマンドが生成され、起動制御部４６へ送出する。発信状態では、１０キーの数字が電話番号として登録されるように電話回線ユニット２４又は２６へ送出される。
【００５９】
（通話制御ユニット２８の構成）
通話制御ユニット２８には、音声信号入力部８０及び音声信号出力部８２が、前記Ｉ／Ｆ４０に接続されている。
【００６０】
Ｉ／Ｆ４０を介して音声信号（電気信号）が音声信号入力部８０に入力されると、当該音声信号は、音声信号処理部８４を開始して受話制御部８６へ送出される。受話制御部８６では、音声信号に基づいて、スピーカ７０を駆動し、音声を出力させる。
【００６１】
一方、受話制御部８６には、マイク７２が接続されており、マイク７２から入力された音声を音声信号に変換し、音声信号処理部８４を介して音声信号出力部８２へ出力する。
【００６２】
音声信号出力部８２では、Ｉ／Ｆ４０を介して、音声信号を電話回線ユニット２４又は２６へ送出する。上記音声信号の入出力により、電話回線ユニット２４又は２６による通過が可能となる。
【００６３】
（表示制御ユニット１８の構成）
表示制御ユニット１８には、前記Ｉ／Ｆ４２に表示画像情報取込部８８が接続され、表示部（ＬＣＤ）２２に表示するための文字や画像の情報（以下、総称して画像情報という）が取り込まれる。
【００６４】
取り込まれた画像情報は、表示制御部９０において、例えば、圧縮された画像であれば、解凍が実行されたり、画素数の調整（間引きや補間）等の処理が実行され、表示ドライバ９２を介して表示部２２に表示される。
【００６５】
上記構成の携帯電話１０において、最大の特徴は、２機の電話回線ユニット２４、２６を備えている点にある。それぞれの電話回線ユニット２４、２６には、異なる識別番号（電話番号）が割り当てられており、それぞれ独立して機能するようになっている。
【００６６】
ところで、２機を含む複数の電話回線ユニットを１台の携帯電話１０に搭載することは、物理的に可能であり、従来から存在する携帯電話機能とＰＨＳ機能を兼ね備えた電話機等（以下、総称して多機能携帯電話機という）と構造的に特徴があるものではない。
【００６７】
しかしながら、従来の多機能携帯電話機では、複数の通話に対して、異なる電話番号を備え、互いに切り替えることができたとしても、全て手動による切り替え動作であり、使用者の使い勝手の面から運用システムが確立されていなかった。
【００６８】
これに対して、本実施の形態では、２機の電話回線ユニット２４、２６を備えた携帯電話１０を用いて使用者の立場に即した運用システムを確立したものである。
【００６９】
本実施の携帯の携帯電話運用システムの、最大のコンセプトは、「公私混同」「プライバシーの侵害」を解決する新運用システムである。言い換えれば、従来の１人に１携帯（１つの電話番号）から１生活スタイルに１つの電話番号を確立した。
【００７０】
表１は、従来の「１端末１電話番号」と、１端末２電話番号」との比較が示されている。
【００７１】
【表１】
2006340316.tif 000003
【００７２】
本実施の形態に係る携帯電話１０には、その操作部２２に、電話回線ユニット２４から電話回線ユニット２６へ切り替え、或いは電話回線ユニット２６から電話回線ユニット２４へ切り替えるための切り替えボタン９４が設けられている（図３参照）。
【００７３】
切り替えボタン９４は、１回押す（長押しが好ましい）毎に回線の切り替えが実行されるようになっており、この切り替えに連動するように、表示部２２における表示形態が切り替わるようになっている。
【００７４】
すなわち、図４に示される如く、電源オン状態の携帯電話１０の表示部２２には、電池寿命や電波強度等の共通情報を表示する共通情報領域２２Ｋと、それぞれの電話回線ユニット２４、２６の状態情報を表示する領域２２ＳＡ、２２２ＳＢが互いに上下の関係で設けられている。電源オン時では、予めデフォルト回線として設定された電話回線に対応する領域（ここでは、上側の領域２２ＳＡが通常の明るい（バックライト点灯）状態で表示され、下側の領域２２ＳＢが通常よりも暗い（バックライト消灯）状態で表示されている。
【００７５】
この表示部２２の各領域２２ＳＡ、２２ＳＢの明るさは、上側の領域２２ＳＡは、仕事用として設定された電話回線ユニット２４に対応しており、下側の領域２２ＳＢは、プライベート（私用）として設定された電話回線ユニット２６に対応しており、電源オン時は、仕事用として設定された電話回線ユニット２４が優先度が高いことを意味している（デフォルト設定）。なお、電源オン時にプライベートとして設定された電話回線ユニット２６となるようにしてもよい。
【００７６】
この状態で、前記切り替えボタン９４が操作（長押し）されると、優先される電話回線が切り替わり、表示部２２の表示も、下側の領域２２ＳＢが通常の明るい状態となり、上側の領域２２ＳＡが通常よりも暗い状態となり、電話回線が切り替わったことを目視によって判断することが可能となっている。
【００７７】
（電話帳登録）
図５は、共通メモリ５０に記憶されている電話帳に管理された内容を表示部２２に表示した状態が示されており、図５の最も左欄からメモリＮｏ．登録名、優先使用電話回線情報が表示されるようになっている。優先使用電話回線は、図５では、「Ａ」と「Ｂ」とで分類されており、「Ａ」が一方の電話回線ユニット２４（仕事用）を示し、「Ｂ」が他方の電話回線ユニット２６（プライベート用）を示している。
【００７８】
このような分類された電話帳は、それぞれの電話回線ユニット２４、２６での発信時等に共通利用され、メモリＮｏ．又は登録名が指定されると、それぞれに優先されている電話回線ユニット２４又は２６が自動的に起動して発信動作を実行するようになっている。
【００７９】
なお、電話回線ユニット２４、２６が非登録の場合には、予め設定されたデフォルトの電話回線が適用されるようになっている。
【００８０】
なお、表示部２２の表示形態は、上記の如く上下に領域分割せず、切り替えボタン５０（図６（Ｂ）参照）を操作する毎に、表示部２２のほぼ全体として電話回線の優先度に関わらず、それぞれ好みの待ち受け画面に切り替わりとし、かつ共通情報領域２２Ｋの中央に、小さいアイコン表示で優先されている電話回線を表示するようにしてもよい（図６（Ａ）では、仕事用であることを示す仕事アイコン９６が表示され、図６（Ｃ）では、がプライベート用であることを示すプライベートアイコン９８が表示されている）。
【００８１】
また、図４では、電話回線ユニット２４、２６を示す表示部２２の表示形態として、アイコン（イラスト）で表現し、その優先度を明るさ（色）で表現したが、図７に示される如く、アイコンのみならず、数字、文字で表現したり、明るさ（色）のみならず他の表示形態でもよい。図７では、合計９種類の組み合わせを示す。
【００８２】
また、図８に示される如く、文字で表現する場合は、英数字、漢数字、英文字（小文字）であってもよい。さらに、図９には、接続回線や電波強度を示す表示として、接続回線に「電波」を示すアイコンを表示したり、○印を表示したり、接続回線は「太陽」「笑顔」、非接続回線は「月」「困顔」のそれぞれのアイコンで区別して表示するようにしてもよい。
【００８３】
また、アイコンとして、図１０に示される如く、アンテナ、人型、電波、影、センター、携帯＆センター等が適用可能である。
【００８４】
以下に本実施の形態の作用を説明する。
【００８５】
まず、図１１乃至図１４のフローチャートに従い、電源オン時、待ち受け時（着信時を含む）、発信時における制御の流れについて説明する。
【００８６】
（電源オン時制御）
図１１は、電源オン時の制御フローチャートであり、ステップ１００では、基地局ＢＳから周期的に発信している信号（ビーコン）を受信したか否かが判断され、否定判定された場合には、ステップ１０２へ移行して圏外であることを表示部２２の共通情報領域２２Ｋに表示し、このルーチンは終了する（待ち受け時制御ルーチンへ移行）。
【００８７】
また、ステップ１００において肯定判定（受信あり）と判定された場合には、ステップ１０４へ移行して一方の電話回線ユニット２４の現在地の登録を基地局ＢＳに要求し、次いでステップ１０６へ移行して基地局ＢＳから一方の電話回線ユニット２４を読み出すための識別番号（電話番号）を受信して、ステップ１０８へ移行する。
【００８８】
ステップ１０８では、他方の電話回線ユニット２６の現在地の登録を基地局ＢＳに要求し、次いでステップ１１０へ移行して基地局ＢＳから他方の電話回線ユニットを読み出すための識別番号（電話番号）を受信して、ステップ１１２へ移行する。
【００８９】
ステップ１１２では、それぞれの電話回線ユニット２４、２６のビーコン受信強度（通常は、同一無線通信周波数帯域であるので同一の強度となる）を表示部２２の共通情報領域２２Ｋに表示し、このルーチンは終了する（待ち受け時制御ルーチンへ移行）。
【００９０】
（待ち受け時制御）
図１２及び図１３は、待ち受け時の制御フローチャートを示しており、図１２に示すステップ１５０では、基地局ＢＳから信号の受信があったか否かが判断され、否定判定（受信がない）された場合には、ステップ１５２へ移行して、圏外であることを表示部２２の共通情報領域２２Ｋに表示し、ステップ１５０へ戻る。
【００９１】
また、ステップ１５０で肯定判定、すなわち受信ありと判定されると、ステップ１５４へ移行し、当該受信した信号の種類を判定する。すなわち、受信信号は、ビーコンであるか識別呼び出し（着信）であるかを判定し、着信である場合は、図１３（着信時制御）のステップ２００へ移行する。
【００９２】
また、ステップ１５４で受信信号がビーコンであると判定された場合には、ステップ１５６へ移行して、ビーコンの基地局ＢＳが前回と同一か変更されたかを判断する。
【００９３】
ステップ１５６で変更されたと判断された場合には、ステップ１５８へ移行して、一方の電話回線２４の現在地の登録を基地局ＢＳに要求し、次いでステップ１６０へ移行して基地局ＢＳから一方の電話回線ユニット２４を読み出すための識別番号（電話番号）を受信して、ステップ１６２へ移行する。
【００９４】
ステップ１６２では、他方の電話回線ユニット２６の現在地の登録を基地局ＢＳに要求し、次いでステップ１６４へ移行して基地局ＢＳから他方の電話回線ユニットを読み出すための識別番号（電話番号）を受信して、ステップ１６６へ移行する。
【００９５】
ステップ１６６では、それぞれの電話回線ユニット２４、２６のビーコン受信強度（通常は、同一無線通信周波数帯域であるので同一の強度となる）を表示部２２の共通情報領域２２Ｋに表示し、ステップ１５０へ戻る。
【００９６】
また、ステップ１５６で基地局ＢＳが同一であると判断された場合には、ステップ１６６へ移行して、現在のビーコンの受信強度を表示部２２の共通情報領域２２Ｋに表示し、ステップ１５０へ戻る。
【００９７】
図１３に示される如く、ステップ２００には、前述のステップ１５４（図１２参照）で、受信信号が識別呼び出し（着信）であると判断されたときに移行され、一方の電話回線ユニット２４と識別番号が同一か否かが判断される（一方の電話回線ユニット２４への着信か否か）。
【００９８】
このステップ２００で肯定判定、すなわち、同一であると判定されると、ステップ２０２へ移行して、一方の電話回線ユニット２４の着信が可能か（オン状態か）が判断される。このステップ２０２で否定判定された場合には着信の動作は行わず、ステップ２０４へ移行して一方の電話回線ユニット２４に着信したことと、着信時刻とを表示部２２に表示（例えば、「○×回線に着信あり○○時××分」という文字表示）し、図１２のステップ１５０へ戻る。
【００９９】
また、ステップ２０２で肯定判定された場合には、ステップ２０６へ移行して基地局ＢＳへ応答し、次いでステップ２０８で基地局ＢＳと一方の電話回線ユニット２４とを接続し、ステップ２１０へ移行して、発信元の電話番号を取得（非通知の場合は、非通知として取得）し、ステップ２１２へ移行する。
【０１００】
ステップ２１２では、一方の電話回線ユニット２４で着信している旨と、着信情報とを表示部２２に表示してステップ２１４へ移行する。
【０１０１】
前記ステップ２００で否定判定、すなわち、受信した識別呼び出し（着信）が一方の電話回線ユニット２４とは異なると判定されると、ステップ２１６へ移行して、他方の電話回線ユニット２６と識別番号が同一か否かが判断される（他方の電話回線ユニット２６への着信か否か）。このステップ２１６で否定判定された場合には、本携帯電話１０には無関係であるため、図１２のステップ１５０へ戻る。
【０１０２】
また、ステップ２１６で肯定判定、すなわち、同一であると判定されると、ステップ２１８へ移行して、他方の電話回線ユニット２６の着信が可能か（オン状態か）が判断される。このステップ２１８で否定判定された場合には着信の動作は行わず、ステップ２２０へ移行して他方の電話回線ユニット２６に着信したことと、着信時刻とを表示部２２に表示（例えば、「着信あり△△時□□分」という文字表示）し、図１２のステップ１５０へ戻る。
【０１０３】
また、ステップ２１８で肯定判定された場合には、ステップ２２２へ移行して基地局ＢＳへ応答し、次いでステップ２２４で基地局ＢＳと他方の電話回線ユニット２６とを接続し、ステップ２２６へ移行して、発信元の電話番号を取得（非通知の場合は、非通知として取得）し、ステップ２２８へ移行する。
【０１０４】
ステップ２２８では、他方の電話回線ユニット２６で着信している旨と、着信情報とを表示部２２に表示してステップ２１４へ移行する。
【０１０５】
ステップ２１４では、着信した電話回線ユニット２４又は２６における呼び出し（鳴動）並びに通話が実行され、終了すると図１１のステップ１５０へ戻る。
【０１０６】
（発信時制御）
図１４は、発信時の制御フローチャートが示されている。この制御フローチャートでは、まず、ステップ２５０、２５２、２５４の内の何れか（３種類（以下の（１）乃至（３）の何れか）の発信形態の何れかが実行される。
（１）  履歴より発信先電話番号を選択（ステップ２５０）
（２）  直接、発信先電話番号を入力（ステップ２５２）
（３）  アドレス登録から発信先電話番号を読出し（ステップ２５４）
前記ステップ２５０、２５２、２５４の何れかが実行されると、ステップ２５６、２５８において、発信ボタンが操作される。この後、ステップ２５０、２５２からの実行（上記（１）又は（２））では、ステップ２６０へ移行し、ステップ２５４からの実行（上記（３））では、ステップ２６２へ移行する。
【０１０７】
ステップ２６０では、電話番号が共通メモリ５０に記憶されているか（電話番号がアドレス登録されているか）否かが判断され、肯定判定（アドレス登録されていると判定）された場合ステップ２６２へ移行する。また、ステップ２６０で否定判定（アドレス登録されていないと判定）された場合はステップ２６４へ移行する。
【０１０８】
ステップ２６２では、ステップ２５０、２５２、２５４の何れかで指定されたアドレスに電話回線ユニット２４又は２６が登録されているか否かが判断される。このステップ２６２で登録されていないと判定された場合は、ステップ２６４へ移行する。
【０１０９】
また、ステップ２６２で登録されていると判定された場合はステップ２６６へ移行する。
【０１１０】
ステップ２６４では、デフォルトとして優先度が高く設定された電話回線ユニット２４又は２６を選択し、例えば、選択された電話回線ユニット２４又は２６に対応する領域２２ＳＡ又は２２ＳＢを強調（明るく）して回線選択画面を表示し、ステップ２６８へ移行する。これにより、電話回線ユニット２４又は２６の何れかが選択されていることを使用者に報知することができる。
【０１１１】
また、ステップ２６６では、電話帳に登録されている電話回線ユニット２４又は２６を選択し、例えば、選択された電話回線ユニット２４又は２６に対応する領域２２ＳＡ又は２２ＳＢを強調（明るく）して改選選択画面を表示し、ステップ２６８へ移行する。これにより、電話回線ユニット２４又は２６の何れかが選択されていることを使用者に報知することができる。
【０１１２】
ステップ２６８では、発信する電話回線ユニット２４又は２６を選択し、次いでステップ２７０で発信ボタンを再度操作することで、選択された電話回線ユニット２４又は２６からの発信が開始される（ステップ２７２）。
【０１１３】
以上説明したように本実施の形態では、１台の携帯電話１０に２つの電話回線ユニット２４、２６を具備し、それぞれの電話回線ユニット２４、２６に対して、使用者の生活スタイル（例えば、公用／私用）にあわせて使い分けがし易いように、予め優先度を設定したり、共通メモリ５０に記憶されているアドレスに電話回線ユニット２４又は２６を指定したり、手動による電話回線の切り替えに加え、時刻タイマにより自動的に優先される電話回線ユニット２４、２６を切り替えるといった、使い勝手のよい運用システムを確立した。
【０１１４】
また、それぞれの電話回線ユニット２４、２６の使用料金を別々の請求先とすることで、特に、公私混同を回避することができる。
【０１１５】
言い換えれば、単に１台の携帯電話１０に複数の電話回線を設けたのではなく、その運用として使用者の立場にたった携帯電話サービスを提供することができる。
【実施例】
【０１１６】
以下、使用状況に応じた携帯電話１０の操作の流れ（手順）を表２乃至表６に示す。
【０１１７】
【表２】
2006340316.tif 000004
【０１１８】
【表３】
2006340316.tif 000005
【０１１９】
【表４】
2006340316.tif 000006
【０１２０】
【表５】
2006340316.tif 000007
【０１２１】
【表６】
2006340316.tif 000008
【図面の簡単な説明】
【０１２２】
【図１】本実施の形態に係る携帯電話の外観図である。
【図２】携帯電話の各ユニットの制御システム系を機能的に示した制御ブロック図である。
【図３】操作部の一部を示す拡大正面図である。
【図４】表示部の拡大正面図である。
【図５】共通メモリに記憶されている電話帳に管理された内容を表示部に表示した状態示す正面図である。
【図６】（Ａ）は仕事用に切り替っている携帯電話の正面図、（Ｂ）は操作部の拡大図、（Ｃ）はプライベート用に切り替っている携帯電話の正面図である。
【図７】表示部の電話回線を識別するアイコンとその状態との組合せを表形式で示した図である。
【図８】表示部の電話回線を識別するアイコンの表示形態を表形式で示した図である。
【図９】表示部の接続回線を指標するためのマークを表形式で示した図である。
【図１０】報知するべき情報をアイコン化して表示部に表示するためのバリエーションを表形式で示した図である。
【図１１】電源オン時の制御フローチャートである。
【図１２】待ち受け時の制御フローチャートである。
【図１３】図１１の待ち受け時につながる着信時制御フローチャートである。
【図１４】発信時の制御フローチャートである。
【符号の説明】
【０１２３】
１０      携帯電話
１２    上ケーシング
１４    下ケーシング
１６    軸部
１８    表示制御ユニット
２０    矩形孔
２２    表示部
２２Ｋ    共通情報領域
２２ＳＡ、２２２ＳＢ    領域
２４、２６    電話回線ユニット
２８    通話制御ユニット
３０    操作制御ユニット
３２    操作部
３４、３６、３８、４０、４２    Ｉ／Ｆ
４４    バス
４６    起動制御部
４８    動作状態管理部
５０    共通メモリ（データ記憶手段）
５２    ＣＰＵ
５４    バス
５６    ＲＯＭ
５８    ＲＡＭ
６０    バス
６２    Ｉ／Ｏ
６４    電波管理部（電波状態判定手段）
６６    受信部
６８    送信部
７０    スピーカ
７２    マイク
７４    操作状態解析部（優先度決定手段）
７６    コマンド生成部
７８    コマンド先選択部
８０    音声信号入力部
８４    音声信号処理部
８６    受話制御部
８８    表示画像情報取込部
９０    表示制御部（表示制御手段）
９２    表示ドライバ
９４    切り替えボタン
【図１】
2006340316.tif 000009
【図２】
2006340316.tif 000010
【図３】
2006340316.tif 000011
【図４】
2006340316.tif 000012
【図５】
2006340316.tif 000013
【図６】
2006340316.tif 000014
【図７】
2006340316.tif 000015
【図８】
2006340316.tif 000016
【図９】
2006340316.tif 000017
【図１０】
2006340316.tif 000018
【図１１】
2006340316.tif 000019
【図１２】
2006340316.tif 000020
【図１３】
2006340316.tif 000021
【図１４】
2006340316.tif 000022